(57)【要約】【課題】  安価で、より省エネルギとなる蛍光燈ホルダーを提供する。【解決手段】  １対多数のコンパクトな蛍光燈ホルダーは、各々がコンパクトな蛍光燈を受けるように適応する複数のソケット３０と、安定器回路を有する安定器機構と、交流電源が安定器回路に提供されるとき、ソケット３０に設けられたコンパクトな蛍光燈が点灯するように安定器回路とソケット３０を電気的に接続する複数の電線部４０と、を有することを特徴とする。【選択図】            図１
2005038808.tif 000002
【特許請求の範囲】
【請求項１】
各々がコンパクトな蛍光燈を収容し得る複数のソケットと、
安定器回路を有する安定器機構と、
交流電源が安定器回路に提供されるとき、前記ソケットに設けられたコンパクトな蛍光燈が点灯するように安定器回路とソケットを電気的に接続する複数の電線部と、
を有する１対多数のコンパクトな蛍光燈ホルダー。
【請求項２】
前記安定器機構は、前記安定器回路を収容するシェルを有し、当該シェルは、照明器具、壁または天井に前記シェルを非電気導通的に固定する固定機構を有する請求項１に係る蛍光燈ホルダー。
【請求項３】
前記ソケットと前記安定器機構は、分離されている請求項１に記載の蛍光燈ホルダー。
【請求項４】
前記ソケットと前記安定器機構は、一体である請求項１に記載の蛍光燈ホルダー。
【請求項５】
前記シェルは、フラットな中空円筒状または多角形状の中空本体部であり、前記固定機構は、中心に取付け穴またはそのエッジに複数の位置決めスロットを有する請求項２に記載の蛍光燈ホルダー。
【請求項６】
前記安定器回路は、ＥＭＩ回路、整流化兼フィルター回路、インバータ回路および出力回路を有し、前記ＥＭＩ回路は交流電源との接続に適応し、前記整流化兼フィルター回路は前記ＥＭＩ回路に接続されかつ前記インバータ回路に直流電流を提供し、前記インバータ回路と前記出力回路は前記コンパクトな蛍光燈を起動させる高電圧と、前記コンパクトな蛍光燈が安定した照明を維持する高周波交流電流とを提供する請求項１に記載の蛍光燈ホルダー。
【発明の詳細な説明】
【技術分野】
【０００１】
本発明は、コンパクトな蛍光燈ホルダー、特に、多くのコンパクトな蛍光燈ソケットのための電子安定器回路を有する１対多数のコンパクトな蛍光燈ホルダーに関する。
【背景技術】
【０００２】
下記特許文献１では、発明者は、中空本体、前記中空本体に設けられた安定器回路、前記中空本体でコンパクトな蛍光燈を保持するソケット、および、照明器具や壁または天井に前記中空本体を非電気導通的に固定する固定機構を有するランプホルダーを明らかにしている。前記安定器回路は、前記コンパクトな蛍光燈が前記ソケットに設けられたとき、前記コンパクトな蛍光燈の電極と電気的に接続される。この従来技術のランプホルダーは、照明器具や壁または天井に安定器回路と共にランプソケットを容易に取付けることができる。
【０００３】
この開示は、引用により本願明細書の開示に組み込まれるものとする。
【０００４】
所定の照明を得る場合には、例えば、光シャンデリアや天井ファン付照明器具のように同じ対象物に多数のコンパクトな蛍光燈を設けたり、あるいは、例えば浴室のように限られたエリアに隣接して多数のコンパクトな蛍光燈を設けたりする。最近までは、１つのランプホルダー/安定器に１つのコンパクトな蛍光燈が設けられている。この結果、これらのランプホルダー/安定器の取付けには、より多くのスペースが必要となり、また、比較的高価になる。
【特許文献１】米国特許公開第２００２−００９３２７９号公報
【発明の開示】
【発明が解決しようとする課題】
【０００５】
本発明は、上記問題に鑑みてなされたものであり、第１の目的は、従来技術の不利益を解消する１対多数のコンパクトな蛍光燈ホルダーを提供することである。他の目的は、より省エネルギとなる１対多数のコンパクトな蛍光燈ホルダーを提供することである。
【課題を解決するための手段】
【０００６】
かかる目的を達成するために、本発明は、各々がコンパクトな蛍光燈を収容し得る複数のソケットと、安定器回路を有する安定器機構と、交流電源が安定器回路に提供されると、前記ソケットに設けられたコンパクトな蛍光燈が点灯するように安定器回路とソケットを電気的に接続する複数の電線部と、を有している。前記安定器機構は、好ましくは、前記安定器回路を収容するシェルと、当該シェルを照明器具、壁または天井に非電気的に固定する固定機構とを有することである。前記ソケットと安定器機構は、好ましくは、分離されているか、あるいは、一体化されていることである。前記シェルは、好ましくは、フラットな中空円筒状または多角形状の中空本体部であり、前記固定機構は、中心に取付け穴またはそのエッジに複数の位置決めスロットを有することである。前記安定器回路は、好ましくは、ＥＭＩ回路、整流化およびフィルター回路、インバータ回路および出力回路を有し、前記ＥＭＩ回路は交流電源との接続に適応し、前記整流化およびフィルター回路は前記ＥＭＩ回路に接続されかつ前記インバータ回路に直流電流を提供し、前記インバータ回路と前記出力回路は前記コンパクトな蛍光燈を起動させる高電圧と、前記コンパクトな蛍光燈が安定した照明を維持する高周波交流電流を提供することである。
【発明の効果】
【０００７】
本発明の蛍光燈ホルダーは、各々がコンパクトな蛍光燈を収容し得る複数のソケットと、安定器回路を有する安定器機構と、交流電源が安定器回路に提供されるとき、前記ソケットに設けられたコンパクトな蛍光燈が点灯するように安定器回路とソケットを電気的に接続する複数の電線部とを有しているので、照明器具として使用した場合に、多くの隙間を必要とせずにコンパクトな蛍光燈を多数接続でき、この結果、比較的安価に取付けることができ、より省エネルギとなる。
【発明を実施するための最良の形態】
【０００８】
以下、図面を参照して、本発明に係る蛍光燈ホルダーの実施形態を説明する。
【０００９】
図１および２に示すように、本発明の第１実施形態により構成される１対多数のコンパクトな蛍光燈ホルダーは、天井ファン付照明器具に好適に使用され、円筒シェル２０および、当該シェル２０に設けられた安定器回路（図示せず）からなる安定器１０と、６つのソケット３０と、および該６つのソケット３０と前記安定器１０とを接続する６の電線部４０とを有している。前記ソケット３０は、コンパクトな蛍光燈が差し込まれる開口３１を有している。前記開口３１に設けられた前記コンパクトな蛍光燈は、前記開口３１と電線部４０が内部に設けられた電極のため、前記シェル２０内で安定器回路と電気的に接続される。この結果、前記６つのソケット３０に設けられた６つのコンパクトな蛍光燈は、交流電源がシェル２０の安定器回路に与えられると、点灯される。前記シェル２０は、中心取付け穴２１を有し、そのエッジに２つの対向する位置決めスロット２２を有している。前記安定器１０は、前記中心取付け穴２１および／または前記位置決めスロット２２にねじ（図示せず）によって面で固定される。この安定器１０は、前記シェル２０上の電源用孔２３を備えており、電源線は、シェル２０の安定器回路が駆動されるように接続されている。
【００１０】
本発明の他の実施形態により構成される１対多数のコンパクトな蛍光燈ホルダーは、図３および４に示すように、フラットで中空の長方形の本体部２０'および当該長方形の本体部２０'に設けられた安定器回路（図示せず）から成る安定器１０と、３つのソケット３０と、当該３のソケット３０を前記安定器１０に接続する３つの電線部４０とを有している。図３および４に示す実施形態のランプホルダーは、図１および２に示すランプホルダーと同じで、ソケットおよび電線部の数と安定器１０の形が異なっているが、ここにおいては、類似要素は類似の数字で示されている。前記長方形の本体部２０'は、中心取付け穴２１と２つの側に２つの対向位置決めスロット２２を有している。前記安定器１０は、前記中心取付け穴２１および／または前記位置決めスロット２２にねじ（図示せず）をねじ込むことによって天井または壁に取付けられ固定される。
【００１１】
本発明に好適に使用される安定器回路は、図５に示され、ここにおいて、交流電源は、フューズＦを介して供給される。フィルターを通った直流電圧は、ＥＭＩ回路およびフルブリッジ整流器/フィルター回路を経てインバータ回路に供給されるが、高電圧が自動結合変圧器コイル（Ｔ１ＡおよびＴ２Ａ）および出力コンデンサ（Ｃ１−Ｃ６）により発生され、コンパクトな蛍光燈を起動させる。前記ＥＭＩ回路は、Ｃ９、Ｔ３およびＣ８を有している。前記フルブリッジ整流器/フィルター回路は、Ｄ１−Ｄ４、Ｒ１およびＣ１０を有している。前記インバータ回路は、主にＱ１、Ｑ２、Ｃ７、Ｔ１ＡおよびＴ２Ａを有しているが、ここにおいて、初期回路は、Ｒ２、Ｒ３、Ｄ７およびＬ２から構成されている。ＴＩＢおよびＴ２Ｂは、Ｑ１およびＱ２に充分な駆動電流を供給する帰還コイルである。出力回路（Ｔ１Ａ、Ｔ２ＡおよびＣ１−Ｃ６）は、２５ＫＨｚの高周波を発生する。
【００１２】
本発明は、上述した実施形態のみに限定されるものではなく、特許請求の範囲内において種々変更使用することができる。
【産業上の利用可能性】
【００１３】
本発明は、コンパクトな蛍光燈を多数接続でき、比較的安価に取付けることができ、より省エネルギとなる蛍光燈ホルダーである。
【図面の簡単な説明】
【００１４】
【図１】天井ファン付照明器具に好適に使用される本発明の１対多数のコンパクトな蛍光燈ホルダーの斜視図である。
【図２】図１のランプホルダーの逆側を示す斜視図である。
【図３】浴室に好適に使用される本発明の１対多数のコンパクトな蛍光燈ホルダーの斜視図である。
【図４】図３のランプホルダーの逆側を示す斜視図である。
【図５】本発明に好適に使用される安定器回路の回路図である。
【符号の説明】
【００１５】
１０    安定器、
２０    中空円筒シェル、
２０‘    フラットな中空の長方形の本体部、
２１    中心取付け穴、
２２    位置決めスロット、
２３    電源用孔、
３０    ソケット、
３１    開口、
４０    電線部。
【図１】
2005038808.tif 000003
【図２】
2005038808.tif 000004
【図３】
2005038808.tif 000005
【図４】
2005038808.tif 000006
【図５】
2005038808.tif 000007